(57)【要約】【目的】  用紙の処理装置における排出口の用紙塊を、装置内に不用意に落下させないようにする用紙の処理装置を提供することである。【構成】  排出ダクト２０の排出口２１には開閉カバー２２を設け、排出口２１から排出される用紙塊２６を押圧可能な押圧部材２５を設ける。開閉カバー２２は回収箱１１に向かって湾曲するように構成されており、回動部２２ａが台座２３にシャフトを介して回動可能に設けられている。回動部２２ａは排出口２１の上方に設けられており、排出口２１から出てきた用紙塊２６を回収箱１１に落下させるように設けられている。用紙塊２６が排出口２１から落下すると開閉カバー２２が閉じ、閉じる際にはストッパ２７によって開閉カバー２２が閉じる際の衝撃を吸収し排出口２１に当たらないように構成されている。【選択図】  図５
2007007631.tif 000002
【特許請求の範囲】
【請求項１】
用紙を投入する投入口と、
前記投入された用紙を破砕するための破砕部と、
破砕された用紙を搬送するための搬送部と、
搬送された用紙を圧縮するための圧縮部と、
圧縮された用紙を排出するための排出ダクトと、
排出ダクトの出口には開閉可能な開閉部を設けて破砕された用紙を収納するための回収箱を機器内に収納した用紙の処理装置において、
前記開閉部には排出ダクトから排出される用紙の一部を押さえるための押圧部材を設けたことを特徴とする用紙の処理装置。
【請求項２】
前記用紙の開閉部には曲面が形成されていること
を特徴とする請求項１記載の用紙の処理装置。
【請求項３】
前記開閉部が開閉のために作動する回動部は前記排出ダクトの出口近傍にあり、
かつ排出ダクトが湾曲する外周部に取り付けたことを特徴とする請求項１記載の用紙の処理装置。
【請求項４】
前記開閉部が閉じた時の前記排出ダクトの出口には
排出ダクトと開閉部とを接触させないための衝撃吸収部材が設けられることを特徴とする請求項１記載の用紙の処理装置。
【発明の詳細な説明】
【技術分野】
【０００１】
本発明は、用紙を破砕し破砕されたチップを回収箱に収納する用紙の処理装置であって、用紙の排出口の機構に関するものである。
【背景技術】
【０００２】
近年、オフィスや家庭の中では複写機やプリンタの発達に伴い、文字情報や画像情報などは容易にドキュメント化されるようになった。それらドキュメントは１枚または数枚で扱われておりクリップで束ねたり、枚数が多くなるとグループ毎に分類してファイルに綴じ保管されている。これらのドキュメントの中には不特定多数の人間が自由に見られるものの他、関係者以外の者に見られては不都合な文書、いわゆる機密文書も多く扱われている。
【０００３】
昨今ではパーソナルコンピュータ（ＰＣ）の普及に伴い、それまで紙で保管されていた機密情報は電子文書として保管されるようになってきた。機密情報は例えば電子メールなどの電子媒体を使って授受され、一度もドキュメント化されずにＰＣ内にあるハードディスクなどの電子記録媒体に記録され保管されつつある。このような技術と管理方法の進歩で、それまで保管されていたドキュメントによる機密文書は陳腐化し、処分の需要が大きく高まってきた。
【０００４】
機密文書の処分方法としてはシュレッダで処理することが知られている。シュレッダ処理された文書は細かく破砕され、その破砕チップの形状はヌードル状、短い長方形、ひし形、小縒り、不定形の小片など様々であり、いずれも文章の繋がりが容易に判別できない程度に破砕され他人が容易に読めない形で排出される。
【０００５】
とりわけ一度に大量の用紙を処理できるシュレッダの場合は、様々な機構が搭載されるために比較的大型になることが多い。しかし最近のオフィスはマンションのワンフロアで営業することも珍しくなく、シュレッダにも一段と小型化が求められるようになってきた。そこで破砕に必要な機構を全て縦方向に収納して、省スペースで処理できるシュレッダが要求されてきた。具体的には、用紙を投入する投入口と、用紙を引き込み破砕する破砕部と、破砕された用紙が下方に落下する搬送部と、搬送された用紙を圧縮する圧縮部と、圧縮された用紙を回収箱に搬送する排出ダクト、そして排出された用紙を収納する回収箱を周囲を筐体で覆い、筐体内に収納された回収箱取り出すためのドアが設けられているシュレッダである。
【発明の開示】
【発明が解決しようとする課題】
【０００６】
このような装置において破砕され圧縮された用紙を回収箱に収納するためには、排出ダクト先端に設けられた排出口から出てくる用紙魂を適量に分断しながら処理されることが求められる。しかしながら、強固に圧縮された用紙塊は排出口から思うような長さでは落下せず、時には数ｃｍから十数ｃｍの長さで伸び出てしまうことがあった。この圧縮後の伸びた用紙塊は先端にいくにつれて解れる形となり、少々の振動で落下しやすくなる。特に回収箱を出し入れする際には、ドアを開閉したり回収箱が筐体内に当たり落下しやすくなってしまい、回収箱がセットされていない状態では装置内に用紙塊が落下してしまうとことがあった。
また、用紙塊が５０ｍｍを越えてしまうと回収箱内で空間ができてしまって収納率が悪くなることがあり、ドアの開閉頻度が多くなることや、作業者が回収箱内の用紙塊を均す作業が増え作業者への負担となることがあった。
そして、用紙塊が落下した後には開閉カバーが閉じることになるが、用紙塊が排出口に存在しない場合には開閉カバーは勢いよく閉じることになり、特に開閉カバーが金属製の場合には大きな音を発する問題が生じていた。
【０００７】
ここで従来の技術として特許文献１記載の用紙の処理装置がある。ここにはシュレッダのケーシング内に細断屑収容器が設けられていて開閉体を開くことでケーシング内から細断屑収納容器を取り出せ、カッターと細断屑収容器の間にはほぼ水平方向に動作して細断屑収容器の間を閉鎖し又は開放する可撓性シャッターを設けた技術が開示されている。このように水平に移動する開閉機構を用いた場合は、開閉のための機構を取り付けなくてはならず、そのための機器内のスペースを占有されてしまい、機器が大型化してしまうことが考えられる。
【０００８】
【特許文献１】特開２００１−２９８２３号公報
【０００９】
本発明は以上の問題を鑑み、用紙の処理装置における排出口の用紙塊を不用意に落下させないようにする用紙の処理装置を提供することである。
【課題を解決するための手段】
【００１０】
斯かる目的を達成するための本発明が提供する用紙の処理装置は、
用紙を投入する投入口と、前記投入された用紙を破砕するための破砕部と、破砕された用紙を搬送するための搬送部と、搬送された用紙を圧縮するための圧縮部と、圧縮された用紙を排出するための排出ダクトと、排出ダクトの出口には開閉可能な開閉部を設けて破砕された用紙を収納するための回収箱を機器内に収納した用紙の処理装置において、前記開閉部には排出ダクトから排出される用紙の一部を押さえるための押圧部材を設けたことを特徴とする用紙の処理装置であり、
前記用紙の開閉部には曲面が形成されていることを特徴とする請求項１記載の用紙の処理装置であり、
前記開閉部が開閉のために作動する回動部は前記排出ダクトの出口近傍にあり、
かつ排出ダクトが湾曲する外周部に取り付けたことを特徴とする請求項１記載の用紙の処理装置であり、
前記開閉部が閉じた時の前記排出ダクトの出口には排出ダクトと開閉部とを接触させないための衝撃吸収部材が設けられることを特徴とする請求項１記載の用紙の処理装置である。
【発明の効果】
【００１１】
請求項１記載の発明によれば、排出ダクトから排出される用紙の一部を押さえるための押圧部材を設けたので、先端で解れぎみだった用紙塊を押さえて保持するようになり回収箱の出し入れ作業時に不用意に用紙塊が落下しないようになる。
【００１２】
請求項２記載の発明によれば、押し出されてきた用紙塊はやがて押圧部材を押し上げるようになり、その後、開閉カバーに設けられた湾曲した面によって軌道を変えて回収箱の中に用紙塊が落下するようになる。
【００１３】
請求項３記載の発明によれば、回動部を排出ダクトの出口近傍でかつ排出ダクトが湾曲する外周部に取り付けたので、開口部が大きく開くようになり、適度な長さの用紙塊が回収箱に収納されるようになる。また、回収箱の取り出しの妨げにならず機内の省スペース化が実現できるようになる。
【００１４】
請求項４記載の発明によれば、排出ダクトと開閉部とを接触させないための衝撃吸収部材を設けたので、用紙塊の落下で開閉カバーが閉じる時に出る音を防止することができる。
【発明を実施するための最良の形態】
【００１５】
以下、本発明を実施例に基づいて詳細に説明する。
【実施例】
【００１６】
図１は本発明の用紙の処理装置の外観構成を示す斜視図であり、図２はその正面図である。図３は破砕の構成を示す図２のＡ−Ａ’の断面図であり、図４は破砕から回収箱までの構成を示す正面構成図である。図５は本発明による用紙塊と開閉カバーの状態を示す状態図であり、図６は本発明による開閉カバーが閉じた状態を示す状態図である。そして図７は本発明の開閉カバーの上面図であり、図８は本発明の開閉カバーの正面図である。そして図９は図７，図８に示した開閉カバーの断面図である。以下、これらの図に基づき詳細を説明する。
【００１７】
まず、シュレッダ全体の構成を説明する。図１，図２に示すように、シュレッダ装置本体の上部にはトップカバー１が設けられ、用紙を投入するための投入口２が設けられている。トップカバー１には機器を操作するためのコントロールパネル３が設けられており、非常時に機器を停止させる非常ボタン４が設けられている。シュレッダ本体は外装体１２ａ，１２ｂ，１２ｃ，１２ｄによって紙粉や紙片に飛散させないようにその周囲を囲まれており、作業者は機器内部に触れられないようになっている。本体の正面部には外装体１２ａとその下方部にドア１３が設けられており、ドア１３は取手１４を引くことで開閉可能に設けられている。ドア１３を開けることで回収箱１１は出し入れ可能としている。なおドア１３は本体側に設けられた図示しないマグネットにより閉じた状態を保持するように構成されている。外装体１２ａの下方には回収箱１１に溜まる用紙塊の状態が見えるように開口部１５が設けられている。
【００１８】
次に本シュレッダに設けられた機器とその動作について説明する。図３，図４に示すように、投入口２から投入された用紙は自重落下しながら本体内部に設けられた用紙ガイド５ａ，５ｂによって下方に導かれ、回転刃６ａと回転刃６ｂの噛込部８に到達する。回転刃６ａと回転刃６ｂは図示しない駆動モータにより互いに内側に向かって回転しており、回転刃６ａと回転刃６ｂは回転軸方向に２０枚の回転刃が配置されていて交互に交差するよう設けられている。用紙が噛込部８に到達するとその回転運動で順次細断され破砕チップとなり、回転刃６ａと回転刃６ｂの下方に落下していく。噛込部８から破砕チップとなった用紙はフィルタ９を通過する。フィルタ９は一定回転刃６ａ，回転刃６ｂに誤って指などが入り込まないよう、かつ破砕チップが一定の大きさになるまで破砕を繰り返すように一定間隔を置きながら複数本配置されている。フィルタ９を通過した破砕チップはホッパー１７を通じて下方に集まり、圧縮部１８の内部には図示しない圧縮スクリューが回動可能に設けられており、スクリューの回転運動により上方から落ちてきた用紙片を下方に流しながら、さらに下方の絞り筒１９に送り込む。絞り筒１９では圧縮スクリューの回転運動によって１５ｋｇ／ｃｍ２の力で用紙片を押し固めており、さらにその力で下方の排出ダクト２０に用紙塊が送られる。
【００１９】
排出ダクト２０は略Ｕ字型に曲げられており、固められた用紙片はやがて排出口２１に到達する。排出口２１の上方には開閉カバー２２が設けられている。開閉カバー２２は台座２３を介してフレーム１６に固定されており、開閉カバー２２と台座２３は棒状のシャフトを介して開閉可能に設けられている。排出口２１から出てきた用紙塊は、圧縮スクリューによる押し出し力で開閉カバー２２を開き、開閉カバー２２の内面に添うように進行し、やがて回収箱１１に落下する。こうして圧縮された用紙塊は回収箱１１の中に徐々に堆積されるようになっている。
【００２０】
次に開閉カバー２２の細部について説明をする。図７に示すのは開閉カバーの上面図であり、図８はその正面図、そして図９は図７のＢ−Ｂ’の側面断面図である。
開閉カバー２２は排出口２１の全体を覆う大きさに設けられている。本発明では排出口２１は円筒を斜めにカットするように設けられているので、開閉カバー２２は縦長の半楕円形となっている。開閉カバー２２には回動部２２ａが設けられており、棒状のシャフトを通して回動可能に設けられている。開閉カバー２２の材質としては１ｍｍ厚の圧延鋼板、もしくはＡＢＳ樹脂等が用いられる。開閉カバー２２には回収箱側に向かうように緩やかな曲面を設けており、用紙塊の摺動性を良くしながら用紙を回収箱に導きやすくしている。曲面の曲がり度合いとしては、排出ダクト２０の排出口２１近傍の曲率と同程度に設けるとスムースな動きとなる。
【００２１】
次に本発明の開閉カバーの動作について詳細に説明する。図５は本発明による用紙塊と開閉カバーの状態を示す状態図である。排出ダクト２０から送られてきた用紙塊２６は排出口２１から出てくると徐々に開閉カバー２２を押し上げる状態となる。開閉カバー２２がある程度開くと、その先端が押圧部材２５と当たるように設けられている。押圧部材２５の構成としては、環状の弾性材、板状のバネ、または螺旋状のスプリング等を用いるのが良く、いずれも用紙塊２６に対し付勢する形に設けられている。押圧部材２５の押圧位置としては本発明の場合、開閉カバー２２が上方のフレーム１６に対して４５°程度から作用し始めるようにしている。その理由は、排出口２１から排出される用紙塊２６の長さが短い場合においては、用紙塊２６がまだ解れておらず外部から振動にも耐えうる状態である。しかし、用紙塊２６が５０ｍｍ程度となると塊が解れて自重により落下しやすくなる。その時に外部から付勢する力があれば振動による落下の影響を無くすことができるためである。
【００２２】
また、用紙塊が排出口２１から延々と伸びてしまう場合はフレーム１６に当たって詰まりを起こしてしまい、その結果、排出ダクト２０が脱落したり圧縮スクリューの停止に繋がることがある。そこで概ね５０ｍｍ以上になると用紙塊２６を分断するように押圧部材２５を回収箱１１側に力がかかるように設けられている。
【００２３】
図６は用紙塊が回収箱１１に落ちた後の開閉カバーの状態図である。用紙塊２６が落下すると開閉カバー２２は排出口２１に向かって閉じるようになる。開閉カバー２２が金属製の場合には、開閉カバー２２と排出口２１が強く当たって大きな音を出し、オフィス内に響き渡ることは好ましくない。そこで台座２３にはストッパ２７が設けられている。ストッパ２７は排出口２１の上方にあり、かつ用紙塊２６の進行を妨げないように設けられている。開閉カバー２２が閉まる際にはこのストッパ２７が開閉カバー２２の閉じる勢いを止め、音を出さないようにしている。本発明のストッパ２７の形状は、幅２０ｍｍ、長さ１０ｍｍとしているが、排出口２１にスポンジ等の緩衝材を設けても良い。
【００２４】
以上、本発明を実施例に基づき詳細に説明した。この他、押圧部材２５が用紙塊２６に対して押圧される動作点は、用紙塊２６の硬さや量に応じて用いるのが良い。その場合、押圧部材２５の押圧位置を調整可能に設けることが考えられる。また、押圧部材２５が縮んだ際にその長さが最小限に済む円錐状のばね等を用いるのが良い。
【図面の簡単な説明】
【００２５】
【図１】本発明による用紙の処理装置の外観構成を示す斜視図。
【図２】本発明による用紙の処理装置の正面図。
【図３】本発明による用紙の処理装置の図２におけるＡ−Ａ’断面図。
【図４】本発明による用紙の処理装置の破砕から回収箱までの構成を示す正面構成図。
【図５】本発明による用紙塊と開閉カバーの状態を示す状態図。
【図６】本発明による開閉カバーが閉じた状態を示す状態図。
【図７】本発明による開閉カバーの上面図。
【図８】本発明による開閉カバーの正面図。
【図９】本発明による開閉カバーの図７におけるＢ−Ｂ’断面図。
【符号の説明】
【００２６】
１・・・トップカバー
２・・・投入口
３・・・コントロールパネル
４・・・非常ボタン
６ａ，６ｂ・・・回転刃
８・・・噛込部
９・・・フィルタ
１１・・・回収箱
１２ａ，１２ｂ，１２ｃ，１２ｄ・・・外装体
１３・・・ドア
１４・・・取手
１５・・・開口部
１６・・・フレーム
１７・・・ホッパー
１８・・・圧縮部
１９・・・絞り筒
２０・・・排出ダクト
２１・・・排出口
２２・・・開閉カバー
２２ａ・・・回動部
２３・・・台座
２５・・・押圧部材
２６・・・用紙塊
２７・・・ストッパ
【図１】
2007007631.tif 000003
【図２】
2007007631.tif 000004
【図３】
2007007631.tif 000005
【図４】
2007007631.tif 000006
【図５】
2007007631.tif 000007
【図６】
2007007631.tif 000008
【図７】
2007007631.tif 000009
【図８】
2007007631.tif 000010
【図９】
2007007631.tif 000011